(57)【要約】【課題】映像データを配信するためのネットワークの負荷を軽減する。【解決手段】実施形態の映像出力装置は、記録制御部と、出力部と、を備える。記録制御部は、番組が放送される前に放送局から放送される映像であって、当該番組に関連する関連映像データを記憶部に記録する。出力部は、放送局から番組が放送されている間に、記憶部に記録された関連映像データを表示部に出力する。【選択図】図３
2015012502.tif 000002
【特許請求の範囲】
【請求項１】
番組が放送される前に放送局から放送される映像であって、当該番組に関連する関連映像データを記憶部に記録する記録制御部と、
前記放送局から前記番組が放送されている間に、前記記憶部に記録された前記関連映像データを表示部に出力する出力部と、
を備える映像出力装置。
【請求項２】
前記放送局から前記番組が放送されている間に、前記映像出力装置とネットワークを介して接続された通信装置から、前記記憶部に記録された前記関連映像データの表示命令を受信する受信部を、さらに備え、
前記出力部は、前記受信部が受信した前記表示命令に従って、前記関連映像データを前記表示部に出力する、
請求項１に記載の映像出力装置。
【請求項３】
前記出力部は、前記受信部が受信した前記表示命令に従って前記関連映像データを前記表示部に出力する際、前記番組と共に前記関連映像データを前記表示部に出力する、
請求項２に記載の映像出力装置。
【請求項４】
前記記録制御部は、前記番組に関連する前記関連映像データとして、複数シーンで構成される映像データを記憶部に記録し、
前記受信部は、前記放送局から前記番組が放送されている間に、前記表示命令として、前記複数シーンの映像データのうちいずれか１つの表示命令を受信する、
請求項２又は３に記載の映像出力装置。
【請求項５】
前記受信部は、前記番組が放送される前に前記放送局から放送される前記関連映像データを記録する旨の記録命令を、前記通信装置から受信し、
前記記録制御部は、前記記録命令に従って、前記関連映像データを前記記録部に記録する、
請求項２乃至４のいずれか１つに記載の映像出力装置。
【請求項６】
前記関連映像データの表示先である前記表示部を、さらに備えている、
請求項１乃至５のいずれか１つに記載の映像出力装置。
【請求項７】
通信部を備えたコンピュータに対して、
放送局から番組が放送されている間に、当該放送番組に関連した関連コンテンツを出力する出力ステップと、
自プログラムを起動した際に、前記番組が放送される前の時間帯に放送局から放送される映像であって、番組に関連する関連映像データを記録する旨の記録命令を、前記通信部を介して接続される映像出力装置に送信する送信ステップと、
を実行させるための番組関連プログラム。
【請求項８】
前記送信ステップは、さらに、前記出力ステップが前記関連コンテンツを出力している際に、前記映像出力装置に対して、前記関連映像データを表示させる表示命令を、前記通信部を介して送信すること、を
さらに実行させる請求項７に記載の番組関連プログラム。
【請求項９】
前記送信ステップが送信する前記記録命令の対象である関連映像データは、複数のシーンで構成される映像データであって、
前記送信ステップは、前記出力ステップが出力している前記関連コンテンツに対応する、前記複数のシーンのうちいずれか１つを表示させる前記表示命令を送信する、
請求項８に記載の番組関連プログラム。
【請求項１０】
前記出力ステップが前記関連コンテンツを出力している際に、前記コンピュータが備えたインターフェースを介して、前記関連コンテンツに対応する操作を受け付ける受付ステップをさらに備え、
前記送信ステップは、さらに、前記受付ステップが受け付けた前記操作に従って、前記複数のシーン映像のうちいずれか１つを表示させる前記表示命令を送信する、
請求項９に記載の番組関連プログラム。
【請求項１１】
映像出力装置で実行される映像出力方法であって、
番組が放送される前に放送局から放送される映像であって、番組に関連する関連映像データを記憶部に記録する記録制御ステップと、
前記放送局から前記番組が放送されている間に、前記記憶部に記録された前記関連映像データを表示部に出力する出力ステップと、
を含む映像出力方法。
【請求項１２】
前記放送局から前記番組が放送されている間に、前記映像出力装置とネットワークを介して接続された通信装置から、前記記憶部に記録された前記関連映像データの表示命令を受信する受信ステップを、さらに含み、
前記出力ステップは、前記受信ステップが受信した前記表示命令に従って、前記関連映像データを前記表示部に出力する、
請求項１１に記載の映像出力方法。
【請求項１３】
前記受信ステップは、前記関連映像データが放送される前に前記放送局から放送される前記関連映像データを記録する旨の記録命令を、前記通信装置から受信し、
前記記録制御ステップは、前記記録命令に従って、前記関連映像データを前記記録部に記録する、
請求項１２に記載の映像出力方法。
【発明の詳細な説明】
【技術分野】
【０００１】
本発明の実施形態は、映像出力装置、番組関連プログラム、及び映像出力方法に関する。
【背景技術】
【０００２】
近年、タブレット端末やスマートフォンなどの携帯情報端末で、インターネット等の外部ネットワークを介して映像データなどのコンテンツを閲覧できるサービスが普及しつつある。さらには、外部ネットワークを介して配信されている映像データを利用するアプリケーションも利用される傾向にある。
【０００３】
さらには、携帯情報端末とテレビジョン放送受信装置とを連携させる技術も提案されている。例えば、番組を放送する際、当該番組と携帯情報端末にインストールされるアプリケーションとを連携させることも検討されている。
【０００４】
テレビジョン放送番組と連携したアプリケーションを操作している際に、アプリケーションからの指示に従って映像データを、携帯情報端末ではなく、テレビジョン放送受信装置に表示することが考えられる。これにより、テレビジョン放送受信装置の画面の大きさを利用した映像データの提供が可能となる。
【先行技術文献】
【特許文献】
【０００５】
【特許文献１】特開２００４−２２８９４２号公報
【発明の概要】
【発明が解決しようとする課題】
【０００６】
しかしながら、従来技術において、番組と連携してネットワークを介して映像データを配信すると、番組放送時に多数のユーザがほぼ同時にアクセスすることになり、サーバやネットワーク等の負担が大きくなる。
【０００７】
本発明は、上記に鑑みてなされたものであって、ネットワークの負担を軽減する映像出力装置、番組関連プログラム、及び映像出力方法を提案する。
【課題を解決するための手段】
【０００８】
実施形態の映像出力装置は、記録制御部と、出力部と、を備える。記録制御部は、番組が放送される前に放送局から放送される映像であって、当該番組に関連する関連映像データを記憶部に記録する。出力部は、放送局から番組が放送されている間に、記憶部に記録された関連映像データを表示部に出力する。
【図面の簡単な説明】
【０００９】
【図１】図１は、実施形態にかかる放送番組連携システムの構成例を示した例示図である。
【図２】図２は、実施形態にかかるテレビジョン放送受信装置の構成を示すブロック図である。
【図３】図３は、実施形態にかかるテレビジョン放送受信装置及び携帯情報端末のソフトウェア構成の例を示した図である。
【図４】図４は、実施形態にかかるテレビジョン放送受信装置及び携帯情報端末の関連映像データの予約録画の概念を例示した図である。
【図５】図５は、実施形態にかかるテレビジョン放送受信装置及び携帯情報端末の番組放送時の概念を例示した図である。
【図６】図６は、実施形態にかかるテレビジョン放送受信装置の出力部により出力される番組及び番組連携用映像データの第１の表示画面例を示した図である。
【図７】図７は、実施形態にかかるテレビジョン放送受信装置の出力部により出力される番組及び番組連携用映像データの第２の表示画面例を示した図である。
【図８】図８は、実施形態にかかるテレビジョン放送受信装置及び携帯情報端末との間で予約録画の際に行われる処理の手順を示すシーケンス図である。
【図９】図９は、実施形態にかかるテレビジョン放送受信装置と携帯情報端末との間で番組の放送中に行われる処理の手順を示すシーケンス図である。
【発明を実施するための形態】
【００１０】
図１は、本実施形態にかかる放送番組連携システムの構成例を示した例示図である。図１に示される例では、放送局は、放送の放送設備１６０と、アプリケーションサーバ１７０とを備えている。そして、放送設備１６０は、放送波を介して番組等を放送する。アプリケーションサーバ１７０は、放送設備１６０が放送する番組と連係して動作するアプリケーションを、公衆ネットワーク（例えばインターネット）１８０を介して送信する。
【００１１】
一方、家庭内ネットワークにおいては、テレビジョン放送受信装置１００と、携帯情報端末１５０と、が設けられている。テレビジョン放送受信装置１００は、放送設備１６０から放送されている番組等を受信し、当該番組の表示制御等を行う。
【００１２】
携帯情報端末１５０は、スマートフォンやタブレット端末等が考えられるが、ユーザが利用可能な通信装置であれば良く、例えばＰＣ、携帯電話端末、さらには他のテレビジョン放送受信装置等でも良い。そして、携帯情報端末１５０は、家庭内のネットワーク（例えば無線ＬＡＮ）を介して、テレビジョン放送受信装置１００とデータの送受信を可能とする。そして、携帯情報端末１５０は、公衆ネットワーク１８０を介して、アプリケーションサーバ１７０と接続し、当該アプリケーションサーバ１７０から配信されているアプリケーションをダウンロードする。
【００１３】
アプリケーションサーバ１７０から配信されているアプリケーション（以下、番組関連アプリケーションとも称する）は、放送設備１６０から放送される番組と連携して、テレビジョン放送受信装置１００に対して映像データの再生を指示できるアプリケーションであれば良く、例えば、番組が放送されている間、当該番組と連係したゲームアプリケーションなどが考えられる。
【００１４】
そして、番組関連アプリケーションは、番組に連係して動作し、番組の放送中に、ユーザからの操作を受け付けると、操作に応じた映像データを表示するよう制御する。本実施形態では、携帯情報端末１５０は、テレビジョン放送受信装置１００と連携し、映像データをテレビジョン放送受信装置１００に表示しようとする制御を行う。この場合に、携帯情報端末１５０に表示するよりも高解像度の映像データが要求される。
【００１５】
従来の技術を用いて当該番組の放送中に、テレビジョン放送受信装置が、番組と連携した映像データを取得しようと動画配信サーバにアクセスした場合、当該動画配信サーバに、多数の通信装置（テレビジョン放送受信装置を含む）から映像データを取得するためのアクセスが集中する。このため、当該動画配信サーバは、番組の放送中に限り、通信負荷が増大する。
【００１６】
そこで、本実施形態では、放送設備１６０が、番組に連携する映像データを予め送信し、テレビジョン放送受信装置１００が当該映像データを録画することで、動画配信サーバを不要とした。
【００１７】
次に、テレビジョン放送受信装置１００の構成について説明する。図２は、本実施形態にかかるテレビジョン放送受信装置１００の構成を示すブロック図である。図２に示すように、本実施形態のテレビジョン放送受信装置１００は、アンテナ２と、デジタル放送の受信用のチューナ３と、信号処理部４と、映像処理部５と、表示処理部６と、ディスプレイ７と、音声処理部８と、スピーカー９と、制御部１０と、バス１１と、Ｒａｎｄｏｍ  Ａｃｃｅｓｓ  Ｍｅｍｏｒｙ（ＲＡＭ）１２と、Ｒｅａｄ  Ｏｎｌｙ  Ｍｅｍｏｒｙ（ＲＯＭ）１３と、操作部１４と、受光部１５と、入出力制御部１６と、有線通信部１７と、無線通信部１８と、ＨＤＤ（Ｈａｒｄ  Ｄｉｓｋ  Ｄｒｉｖｅ）１９とを主に備えている。
【００１８】
アンテナ２は、ＢＳ、ＣＳ、地上波等のデジタル放送を受信する。チューナ３は、ユーザが指示した視聴用のチャンネルを選局し復調する。信号処理部４は、制御部１０の制御のもと、チューナ３で復調された信号や入出力制御部１６より（例えばレコーダーやメディアカードから）入力された信号を様々なデジタル信号として取り出し処理する。また、信号処理部４では、入力された信号を映像信号と音声信号とに分離し、映像信号を映像処理部５へ、音声信号を音声処理部８へ出力する。
【００１９】
映像処理部５は、信号処理部４から入力した映像信号を正しい画面サイズに調整する処理や、映像についての画質を改善する画質処理として、映像信号に含まれるノイズを除去する処理等を行う。
【００２０】
表示処理部６は、映像処理部５から出力される映像信号を表示部７に表示する処理を行う。また、表示処理部６は、映像処理部５から出力される映像信号に対して、さらに文字情報等のＯＳＤ（Ｏｎ−Ｓｃｒｅｅｎ  Ｄｉｓｐｌａｙ）表示を重ねる。表示部７は、映像信号を画面に表示する。そして、ユーザは表示部７の画面を見ることにより、テレビ映像を見る。
【００２１】
音声処理部８は、音声信号を音響処理するとともに増幅する。スピーカー９は、音声信号を音声として出力する。そして、ユーザはスピーカー９からの音声を聴くことにより、テレビ音声を聴く。
【００２２】
制御部１０は、テレビジョン放送受信装置１００の各部を制御する。制御部１０は、シーケンス処理が可能なプロセッシングユニットであり、ＲＯＭ１３に記憶されたプログラムをＲＡＭ１２に展開して順次実行することで、テレビジョン放送受信装置１００の各部に制御信号を出力して、テレビジョン放送受信装置１００の動作を中央制御する。
【００２３】
バス１１は、チューナ３、信号処理部４、映像処理部５、表示処理部６、音声処理部８、および、制御部１０を互いに接続し、制御部１０と、チューナ３、信号処理部４、映像処理部５、表示処理部６及び音声処理部８の間で、データの受け渡しを行う。バス１１は、具体的にはＩＩＣ−ＢＵＳなどであってよい。ＲＡＭ１２およびＲＯＭ１３は、様々なデータを記憶しており、制御部１０との間で、これらのデータの受け渡しが行われる。
【００２４】
操作部１４は、ユーザの操作指示を受け付けるスイッチである。受光部１５は、ユーザの操作指示を受け付けたリモートコントローラ４０が発信する信号を受信する。ユーザは、リモートコントローラ４０の各種ボタンやキーを操作することで、テレビジョン放送受信装置１００及びテレビジョン放送受信装置１００と接続する各機器を操作することができる。ここで、これ以降、キーとボタンを区別せず、総称して「キー」と呼ぶ。
【００２５】
有線通信部１７は、ＬＡＮケーブル等と接続するインターフェースを有し、インターネット等の公衆ネットワークを介して接続されたサーバと通信する機能を有する。そして、有線通信部１７は、該サーバに対して情報を要求するとともに、サーバから送信された情報を受信する。なお、本実施形態のテレビジョン放送受信装置１００は、有線ＬＡＮ等でインターネット等の公衆ネットワークに接続する例について説明するが、公衆ネットワークに接続する際に有線ＬＡＮ等を用いることに制限するものではなく、例えば無線ＬＡＮ等を用いて公衆ネットワークと接続しても良い。
【００２６】
無線通信部１８は、無線ＬＡＮ等を介して、他の無線通信可能な機器（例えば、携帯情報端末１５０）と相互接続し、情報の送受信を行う。本実施形態では、無線通信技術として、Ｗｉ-Ｆｉを用いた例について説明するが、無線通信技術をＷｉ−Ｆｉに制限するものではなく他の通信技術を用いても良い。また、テレビジョン放送受信装置１００が、無線通信部１８を必ずしも備えている必要は無く、入出力制御部１６に設けられたＵＳＢインターフェースに、無線ＬＡＮドングルを接続することで、携帯情報端末１５０と無線接続してもよい。
【００２７】
ＨＤＤ１９は、制御部１０からの制御に従って予約録画された、番組の映像データの記録等を行う。
【００２８】
図３は、テレビジョン放送受信装置１００、及び携帯情報端末１５０のソフトウェア構成の例を示した図である。
【００２９】
図３に示される例では、テレビジョン放送受信装置１００の制御部１０は、ＲＯＭ１３に記憶されたプログラムを実行することで、放送波受信部３０１と、記録制御部３０２と、出力部３０３と、コマンド処理部３０４と、受信制御部３０５と、を実現する。
【００３０】
放送波受信部３０１は、チューナ３を介して、ＢＳ、ＣＳ、地上波等のデジタル放送の番組の受信制御を行う。
【００３１】
記録制御部３０２は、放送波受信部３０１により受信制御がなされたデジタル放送の番組を、ＨＤＤ１９に記録する制御を行う。
【００３２】
出力部３０３は、放送波受信部３０１により受信制御がなされたデジタル放送の番組を表示部７に出力する制御を行う。また、出力部３０３は、ＨＤＤ１９に記録されたデジタル放送の番組を表示部７に出力する制御を行う。
【００３３】
受信制御部３０５は、家庭内のネットワークとして設置された無線又は有線ネットワークを介して、携帯情報端末１５０からデータを受信制御する。
【００３４】
コマンド処理部３０４は、受信制御部３０５が受信制御したデータの中に、テレビジョン放送受信装置１００に対するコマンドが含まれていた場合に、当該コマンドに従って処理を行う。
【００３５】
また、携帯情報端末１５０は、通信部３５１を備え、（図示しない）制御部が、番組関連アプリケーション３５２を実行することで、送信制御部３６１と、受付部３６２と、出力部３６３と、を実現する。なお、本実施形態においては、番組関連アプリケーション３５２は、ユーザがアプリケーションサーバ１７０から公衆ネットワーク１８０を介してダウンロードしたものとする。
【００３６】
番組関連アプリケーション３５２は、例えば（クイズなどを含んだ）ゲームアプリケーションが考えられるが、番組と連携していれば、どのようなアプリケーションでも良い。そして、当該番組関連アプリケーション３５２は、動作中にいくつかのポイントで、映像データを再生する制御を行う。本実施形態では、当該映像データの表示先を、テレビジョン放送受信装置１００とする。
【００３７】
出力部３６３は、携帯情報端末１５０が有する表示装置（例えば液晶パネル）に対して、放送局から番組が放送されている間に、放送番組に関連した関連コンテンツを出力する。出力部３６３が関連コンテンツを出力する際、番組関連アプリケーション３５２は、放送中の番組と同期できるように、通信部３５１を介してアプリケーションサーバ１７０とデータの送受信を行っても良い。
【００３８】
受付部３６２は、出力部３６３が関連コンテンツを出力している際に、携帯情報端末１５０が備えたインターフェース（例えばタッチパネル）を介して、関連コンテンツに対応する操作を受け付ける。そして、受付部３６２が操作を受け付けた場合に、出力部３６３が、当該操作に対応した表示を行う。
【００３９】
送信制御部３６１は、番組が放送されている間に、関連する映像データの表示先（本実施形態ではテレビジョン放送受信装置１００）に対してデータを送信する。当該データには、テレビジョン放送受信装置１００に対するコマンド等が含まれている。
【００４０】
例えば、受付部３６２は、出力部３６３が関連コンテンツを出力している際に、携帯情報端末１５０が備えたインターフェース（例えばタッチパネル）を介した操作を受け付けた場合に、送信制御部３６１が、当該操作に応じた映像データの表示命令を、テレビジョン放送受信装置１００に送信する。
【００４１】
本実施形態にかかるテレビジョン放送受信装置１００においては、放送番組に関連する関連映像データを予約録画しておく必要がある。その際の手順について説明する。図４は、本実施形態にかかるテレビジョン放送受信装置１００及び携帯情報端末１５０の関連映像データの予約録画の概念を例示した図である。本実施形態では、番組が放送される前に、当該番組に関連する関連映像データが予め放送されるものとする。この関連映像データの放送は、例えば視聴者が少ない深夜等に行うことが考えられる。
【００４２】
まず、ユーザが、携帯情報端末１５０で番組関連アプリケーション３５２をダウンロードした後、当該番組関連アプリケーション３５２を起動させる。
【００４３】
そして、番組関連アプリケーション３５２が起動した際に、番組関連アプリケーション３５２内の送信制御部３６１が、番組が放送される前の時間帯に放送局から放送される映像データであって、当該番組に関連する関連映像データを予約録画（記録）させる旨の予約録画命令を、通信部３５１を介して接続されるテレビジョン放送受信装置１００に送信する。
【００４４】
そして、テレビジョン放送受信装置１００の受信制御部３０５は、番組が放送される前の時間帯に放送局から放送される関連映像データを記録する旨の予約録画命令を、携帯情報端末１５０から受信する。
【００４５】
そして、コマンド処理部３０４は、受信した予約録画命令に従って処理を行う。例えば、コマンド処理部３０４が、関連映像データの予約録画の指示を記録制御部３０２に対して行う。
【００４６】
これにより、記録制御部３０２は、予約録画命令に従って、番組が放送される前の時間帯に放送されている、番組に関連する関連映像データ（以下、番組連携用映像データ４０１とも称す）を、ＨＤＤ１９に記録する制御を行う。
【００４７】
図４に示されるように、番組連携用映像データ４０１は、“シーン１−１”、“シーン１−２”、“シーン１−３”、“シーン２−１”等の複数のシーンの映像データを連結したデータとする。信号の形式としては、通常の番組と同じで良いが、通して視聴した際に、視聴者に意味のあるものである必要は無い。番組連携用映像データ４０１が録画された後、テレビジョン放送受信装置１００は、番組の放送中に、携帯情報端末１５０で実行されている番組関連アプリケーション３５２からの表示命令に従って、ＨＤＤ１９から必要なシーンの映像データを読み出して、表示部７に表示する。これにより、番組関連アプリケーション３５２との連携を実現する。
【００４８】
なお、番組として放送されるシーンの集合は、当該番組を作成する放送局が把握している。また、番組関連アプリケーション３５２も、放送局が作成するものであるから、シーン毎の開始位置を、番組関連アプリケーション３５２に予め埋め込んでおくことができる。
【００４９】
出力部３０３は、番組連携用映像データ４０１に含まれている各シーンの開始位置から映像データを再生する。シーンの再生手法としては、本実施形態では表示命令に当該シーンの開始位置が含まれているものとする。なお、このような再生手法に制限するものではなく、例えば、番組連携用映像データ４０１のメタデータにシーン毎の開始位置が予め含まれていて、表示命令として当該シーンの識別情報を受け取っても良い。
【００５０】
番組連携用映像データ４０１は、番組の放送時に利用される。図５は、本実施形態にかかるテレビジョン放送受信装置１００及び携帯情報端末１５０の番組放送時の概念を例示した図である。本実施形態においては、既に番組連携用映像データ４０１の予約録画がなされているものとする。
【００５１】
そして、テレビジョン放送受信装置１００の放送波受信部３０１は、番組放送時間帯に、放送設備１６０から放送されている番組を、チューナ３を介して受信する。そして、出力部３０３は、放送波受信部３０１が受信した番組を、表示部７に表示する。
【００５２】
一方、携帯情報端末１５０で実行されている番組関連アプリケーション３５２は、通信部３５１を介して、アプリケーションサーバ１７０とデータの送受信により、番組連携を行う。
【００５３】
例えば、番組関連アプリケーション３５２の出力部３６３が、番組に関連した関連コンテンツ（例えば、ミニゲームやクイズなど）を出力する。そして、出力中に、所定のシーンの映像データの再生が必要な場面になった場合に、送信制御部３６１が、当該シーンの再生位置を指定して、テレビジョン放送受信装置１００に対して表示命令（再生命令）を送信する。
【００５４】
さらには、受付部３６２が、出力部３６３が関連コンテンツを出力している際に、当該関連コンテンツに対応する操作を受け付けた場合、送信制御部３６１が、通信部３５１を介してテレビジョン放送受信装置１００に対して、受付部３６２が受け付けた操作に対応するシーンの映像データを表示させる表示命令を送信しても良い。
【００５５】
これにより、テレビジョン放送受信装置１００は、関連コンテンツの場面に応じたシーンの映像データの表示（再生）が行われる。なお、表示対象となるシーンの映像データは、番組連携用映像データ４０１に含まれているシーンの映像データのうちいずれか一つであればよい。
【００５６】
そして、テレビジョン放送受信装置１００の受信制御部３０５は、出力部３０３が表示部７に番組を出力している間に、携帯情報端末１５０からの表示命令として、番組連携用映像データ４０１として記憶されている複数シーンの映像データのうちいずれか１つの表示命令を受信する。
【００５７】
そして、コマンド処理部３０４が、受信した表示命令を処理する。これにより、出力部３０３が、放送局から番組が放送されている間に、受信制御部３０５が受信した表示命令に従って、ＨＤＤ１９に番組連携用映像データ４０１として記録されている複数シーンの映像データのうちいずれか１つを表示部７に出力する。
【００５８】
これにより、テレビジョン放送受信装置１００は、携帯情報端末１５０からの表示命令に従って、予め予約録画された番組連携用映像データ４０１の表示を実現する。
【００５９】
なお、出力部３０３による番組連携用映像データ４０１の表示部７に対する表示態様を制限するものではないが、本実施形態にかかる出力部３０３は、表示命令に従って番組連携用映像データ４０１を表示部７に出力する際、番組と共に番組連携用映像データ４０１を表示部７に出力する。
【００６０】
図６は、出力部３０３により出力される番組及び番組連携用映像データ４０１の第１の表示画面例を示した図である。図６に示される例では、例えば第１の画面６０１に番組が表示され、第２の画面６０２に番組連携用映像データ４０１に含まれるシーンの映像データが表示されている例とする。これにより、番組を視聴しつつ、当該番組に関連する番組関連アプリケーションの操作結果のシーンの映像を視聴できる。なお、第１の画面６０１に番組連携用映像データ４０１を表示し、第２の画面６０２に番組を表示しても良い。
【００６１】
図６に示す画面例に表示態様を制限するものではなく、他の表示態様でも良い。図７は、出力部３０３により出力される番組及び番組連携用映像データ４０１の第２の表示画面例を示した図である。図７に示される例では、例えば第１の画面７０１に番組が表示され、第２の画面７０２に番組連携用映像データ４０１に含まれるシーンの映像データが表示されている例とする。図７に示す例でも、第１の画面７０１に番組連携用映像データ４０１を表示し、第２の画面７０２に番組を表示しても良い。
【００６２】
さらには、番組が音声の出力のみで内容を認識できる場合、出力部３０３は、番組連携用映像データ４０１に含まれる映像データのみを表示部７に出力しても良い。
【００６３】
次に、予約録画の際に、テレビジョン放送受信装置１００と携帯情報端末１５０との間で行われる処理について説明する。図８は、本実施形態にかかるテレビジョン放送受信装置１００及び携帯情報端末１５０における上述した処理の手順を示すシーケンス図である。
【００６４】
まず、携帯情報端末１５０は、アプリケーションサーバ１７０から、番組関連アプリケーション３５２をダウンロードする（ステップＳ８０１）。
【００６５】
次に、携帯情報端末１５０は、ダウンロードした番組関連アプリケーション３５２を起動する（ステップＳ８０２）。これにより、携帯情報端末１５０は、通信部３５１を用いて、家庭内ネットワークに存在する通信装置とネットワークの疎通を確認する（ステップＳ８０３）。
【００６６】
そして、番組関連アプリケーション３５２の出力部３６３が、疎通の確認できた通信装置による接続先一覧を表示する（ステップＳ８０４）。そして、受付部３６２が、接続先の選択を受け付ける（ステップＳ８０５）。本シーケンスでは、接続先として、テレビジョン放送受信装置１００が選択されたものとする。
【００６７】
そして、携帯情報端末１５０の送信制御部３６１が、テレビジョン放送受信装置１００に対して接続要求を行う（ステップＳ８０６）。そして、接続要求を受け付けたことをトリガーとして、テレビジョン放送受信装置１００と携帯情報端末１５０との間で、認証要求が行われる（ステップＳ８０７）。当該認証要求では、例えば携帯情報端末１５０からテレビジョン放送受信装置１００に設定されている識別情報とパスワードを入力する等が考えられる。
【００６８】
その後、テレビジョン放送受信装置１００から、携帯情報端末１５０に対して、“接続ＯＫ”である旨を送信する（ステップＳ８０８）。これにより、番組関連アプリケーション３５２が、テレビジョン放送受信装置１００に対してコマンド（命令）を送信することが可能となる。
【００６９】
そして、携帯情報端末１５０で起動している番組関連アプリケーション３５２の送信制御部３６１が、テレビジョン放送受信装置１００に対して、関連映像データを予約録画する命令を送信する（ステップＳ８０９）。当該予約録画の命令を受信した際に、コマンド処理部３０４が当該コマンドを処理し、記録制御部３０２が、関連映像データの予約録画の設定を行う（ステップＳ８１０）。その後、テレビジョン放送受信装置１００が、携帯情報端末１５０に対して、予約録画を設定した旨（予約録画ＯＫ）を送信する（ステップＳ８１１）。これにより、携帯情報端末１５０は、関連映像データの予約録画が設定されたことを認識する。
【００７０】
その後、テレビジョン放送受信装置１００の記録制御部３０２が、設定に従って、関連映像データの予約録画を実行する（ステップＳ８１２）。これにより、ＨＤＤ１９に関連映像データが記録される。
【００７１】
次に、番組の放送中に、テレビジョン放送受信装置１００と携帯情報端末１５０との間で行われる処理について説明する。図９は、本実施形態にかかるテレビジョン放送受信装置１００及び携帯情報端末１５０における上述した処理の手順を示すシーケンス図である。
【００７２】
まず、テレビジョン放送受信装置１００の出力部３０３は、放送波受信部３０１を介して、放送が開始された番組を表示部７に表示開始する（ステップＳ９０１）。
【００７３】
一方、携帯情報端末１５０では、ユーザからの操作に従って、番組関連アプリケーション３５２の起動が行われる（ステップＳ９０２）。そして、番組関連アプリケーション３５２は、アプリケーションサーバ１７０と通信開始する（ステップＳ９０３）。そして、番組関連アプリケーション３５２が、アプリケーションサーバ１７０から番組に関する詳細な情報を取得することで、番組と詳細な連携が可能となる。
【００７４】
そして、携帯情報端末１５０の出力部３６３は、携帯情報端末１５０の表示パネルに関連コンテンツの出力を開始する（ステップＳ９０４）。そして、受付部３６２が、当該関連コンテンツに対応する選択操作を受け付ける（ステップＳ９０５）。
【００７５】
そして、送信制御部３６１が、選択操作に対応するシーンの映像データの表示命令を、テレビジョン放送受信装置１００に送信する（ステップＳ９０６）。
【００７６】
そして、テレビジョン放送受信装置１００の出力部３０３は、表示部７に、番組と共に、表示命令に対応するシーンの映像データを表示する（ステップＳ９０７）。
【００７７】
上述した処理手順により、携帯情報端末１５０で出力された関連コンテンツに対応するシーンの映像データを、テレビジョン放送受信装置１００で表示できる。
【００７８】
本実施形態では、映像出力装置として、テレビジョン放送受信装置１００を用いた例について説明しているが、放送されている番組を録画する機能を備えた上で、ネットワークを介して受信したコマンドに従って、録画された番組に対して指定された位置から再生する機能を備えていれば良い。また、録画機能、コマンドの受信機能、映像の再生機能は（複数の装置の組み合わせで）満たせれば良く、これらの機能が一体の機器にまとめてある必要もない。
【００７９】
本実施形態では、携帯情報端末１５０とテレビジョン放送受信装置１００とが、家庭内のネットワーク（例えば無線ＬＡＮ）で相互接続する例について説明しているが、携帯情報端末１５０とテレビジョン放送受信装置１００との間で再生指示のコマンドが処理できれば良い。接続方法としては、Ｅｔｈｅｒｎｅｔ（登録商標）、Ｗｉ−Ｆｉ、Ｂｌｕｅｔｏｏｔｈ（登録商標）、ＵＳＢなどが考えられる。
【００８０】
以上説明したとおり、本実施形態によれば、番組に関連する関連映像データを、当該番組の前に放送して、テレビジョン放送受信装置１００で予約録画することとした。これにより、関連映像データをネットワークから配信する必要が無くなったため、動画配信サーバを設けるための負担、及びネットワークの負荷を軽減できる。
【００８１】
また、テレビジョン放送受信装置１００に表示する関連映像データは、携帯情報端末１５０に表示する場合と比べて高画質であることが要求されていた。このため、当該関連映像データを動画配信サーバから配信した場合に、ネットワークのさらなる負荷が予想されていた。しかしながら、本実施形態では、事前に放送しておくことで、ネットワークのさらなる負荷が軽減できる。
【００８２】
本実施形態では、従来のような携帯情報端末がテレビジョン放送受信装置のリモートコントローラのような疎な関係にとどまらず、テレビジョン放送受信装置１００と携帯情報端末１５０とが連携し、家庭内ネットワークを構成する複数の一体となり、番組に関連する複数種類のコンテンツを組み合わせたサービスを実現できる。
【００８３】
さらに、本実施形態は、テレビジョン放送受信装置１００の表示部７と、携帯情報端末１５０の表示装置（例えば液晶パネル）とを併用して、番組に関連するコンテンツを組み合わせて１つのサービスとして提供しつつ、動画配信サーバ等を不要とし、ネットワークの負荷を軽減することを可能した。さらには、番組に関連する関連映像データを高解像で送信可能としているため、表示部７が大画面であっても高画質な映像を提供できる。
【００８４】
また、本実施形態は、アプリケーションサーバ１７０を、放送局の設備として説明したが、アプリケーションサーバ１７０を放送局の設備に制限するものではなく、例えば、放送局と提携する別の企業の設備であってもよい。
【００８５】
本実施形態では、携帯情報端末１５０の操作結果となる関連映像データを、テレビジョン放送受信装置１００で表示するため、携帯情報端末１５０で表示する場合と比べて、臨場感や迫力のある映像データをユーザに対して提供できる。
【００８６】
本実施形態では、ユーザが放送されている番組を視聴しながら、番組関連アプリケーション３５２を利用する場合に、多数のユーザが同タイミングで一斉に同じ操作を行うことが想定される。この場合に生じるはずだったネットワークの負荷軽減を特に期待できる。
【００８７】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００８８】
１００…テレビジョン放送受信装置、１５０…携帯情報端末、１６０…放送設備、１７０…アプリケーションサーバ、１８０…公衆ネットワーク、２…アンテナ、３…チューナ、４…信号処理部、５…映像処理部、６…表示処理部、７…ディスプレイ、８…音声処理部、９…スピーカー、１０…制御部、１１…バス、１２…ＲＡＭ、１３…ＲＯＭ、１４…操作部、１５…受光部、１６…入出力制御部、１７…有線通信部、１８…無線通信部、４０…リモートコントローラ、３０１…放送波受信部、３０２…記録制御部、３０３…出力部、３０４…コマンド処理部、３０５…受信制御部、３５１…通信部、３５２…番組関連アプリケーション、３６１…送信制御部、３６２…受付部、３６３…出力部
【図１】
2015012502.tif 000003
【図２】
2015012502.tif 000004
【図３】
2015012502.tif 000005
【図４】
2015012502.tif 000006
【図５】
2015012502.tif 000007
【図６】
2015012502.tif 000008
【図７】
2015012502.tif 000009
【図８】
2015012502.tif 000010
【図９】
2015012502.tif 000011